(57)【要約】【課題】シンク内のスペースの自由度を上げて使い勝手をよくできる。【解決手段】キッチンシンク１のシンク本体は主シンクと補助シンク４を一体形成した。主シンクと補助シンク４の側壁部及び補助側壁部の高さ方向中間部に全周に亘って段部１０を形成した。主シンクと補助シンク４の境界には両側の横補助側壁部における段部１０の上下に取り付けピンを設けた。取り付けピンに仕切部材１５を係止させて主シンクと補助シンク４を仕切った。仕切部材１５は上部梁部材１６と下部梁部材１７を上下方向及び水平方向に離間して配置し、その両端部を第一及び第二連結部で連結した。第一及び第二連結部に設けた上アーム部と下アーム部に取り付けピンに嵌合する凹溝部をそれぞれ設けた。【選択図】図５
2018096182.tif 000002
【特許請求の範囲】
【請求項１】
上部と下部が水平方向に位置ずれした形状を有している仕切用区分け部と、
前記仕切用区分け部の両側に設けられていてシンクの取付部に着脱可能に装着される連結部と、
を備えたことを特徴とする仕切部材。
【請求項２】
前記仕切用区分け部の上部は上部梁部材であり、前記下部は前記上部梁部材と上下方向及び水平方向に離間した下部梁部材であり、
前記連結部は前記上部梁部材と下部梁部材の両端部にそれぞれ連結されている請求項１に記載された仕切部材。
【請求項３】
底部と側壁部を有していて上方に開口する内部空間が形成された主シンクと、
前記主シンクの前記側壁部の一部を外側に拡張して補助底部と補助側壁部が形成された補助シンクと、
前記主シンクと補助シンクの境界に着脱可能に装着された請求項１または２に記載された前記仕切部材と、
を備えたことを特徴とするシンク。
【請求項４】
前記主シンクの側壁部と前記補助シンクの補助側壁部との高さ方向中間部分に形成された段部が備えられており、
前記仕切部材の上部が前記段部の上側の側壁部または補助側壁部に位置し、前記仕切部材の下部が前記段部の下側の側壁部または補助側壁部に位置している請求項３に記載されたシンク。
【発明の詳細な説明】
【技術分野】
【０００１】
本発明は、キッチン等に設置されたシンクとこのシンクに装着される仕切部材に関する。
【背景技術】
【０００２】
従来、キッチンの流し台として用いられるキッチンシンクとして、例えば特許文献１に記載されたものが知られている。この種のキッチンシンクは底部と四周の側壁部で形成した内部空間を洗い場とするシンク本体において、使用者が向かって立つ正面中央の側壁部側に水栓を備えた支持面が形成されている。支持面の両側には下方に凹んだ左右の収納空間が形成されている。
一方の収納空間は高さ方向中間部分に水切り孔を複数配列した支持台を有し、支持台上に籠状の小物ガードが設置されている。他方の収納空間はシンク本体の底部まで落ち込んでその底部に排水口を備えている。
【０００３】
一方の収納空間の支持台は、小物ガードにまな板立て等を載置可能である上に、スポンジやたわし等の洗浄道具や洗剤等を収納可能である。他方の排水口を備えた収納空間における両側部にはダストボックスを載置するための載置面が段付きで対向して形成されており、この載置面間にダストボックスを架け渡しできる。
【先行技術文献】
【特許文献】
【０００４】
【特許文献１】特開２０１６−１５９０７２号公報
【発明の概要】
【発明が解決しようとする課題】
【０００５】
しかしながら、上述した特許文献１に記載のキッチンシンクでは、洗浄道具や洗剤等の支持台を有する収納空間やダストボックス等の収納空間が水栓を備えた支持面の両側に設置されているため、一方の収納空間の支持台から他方の収納空間の排水口までの排水の流路が長くなり、見栄えが悪く衛生的でなかった。
しかも、支持台の両側に分割して設けた２つの収納空間はシンクの洗い場として使用できず、食器や食材等の被洗浄物をより広いスペースで洗浄等することができないため、洗い場の自由度が小さく使い勝手が悪かった。
【０００６】
本発明は、このような課題に鑑みてなされたものであって、シンク内のスペースの自由度を上げて使い勝手をよくできる仕切部材とこの仕切部材を備えたシンクを提供することを目的とする。
【課題を解決するための手段】
【０００７】
本発明による仕切部材は、上部と下部が水平方向に位置ずれした形状を有している仕切用区分け部と、仕切用区分け部の両側に設けられていてシンクの取付部に着脱可能に装着される連結部と、を備えたことを特徴とする。
本発明によれば、仕切部材の連結部をシンクの取付部に装着することでシンクを複数の独立した空間に分割して使用でき、スポンジ等の洗浄用具や洗剤等の設置スペースと洗い場のスペースとして使用できる。しかも、洗浄用具や洗剤等の設置スペースを仕切用区分け部で少なくとも一部を遮蔽できるため外観の見栄えが良くなる。また、仕切部材を取り除けばシンク全体を1つの広いスペースとして使用できる。
【０００８】
また、仕切用区分け部の上部は上部梁部材であり、下部は上部梁部材と上下方向及び水平方向に離間した下部梁部材であり、連結部は上部梁部材と下部梁部材の両端部にそれぞれ連結されていることが好ましい。
仕切部材の上部梁部材と下部梁部材とでシンクを仕切ることで、洗浄用具や洗剤等の設置スペースを仕切る上に上部梁部材で洗剤等の落下を防ぎ、シンク内の視覚的な狭さや閉塞感等を感じさせない。
【０００９】
また、本発明によるシンクは、底部と側壁部を有していて上方に開口する内部空間が形成された主シンクと、主シンクの側壁部の一部を外側に拡張して補助底部と補助側壁部が形成された補助シンクと、主シンクと補助シンクの境界に着脱可能に装着された上述した仕切部材と、を備えたことを特徴とする。
本発明によるシンクは、主シンクと補助シンクを仕切部材で仕切ることで例えば補助シンクをスポンジ等の洗浄用具や洗剤等の設置スペースとして利用でき、主シンクを洗い場として使用できる。また、仕切部材を取り外せば一体の広いシンクとして使用できる。
【００１０】
また、主シンクの側壁部と補助シンクの補助側壁部との高さ方向中間部分に形成された段部が備えられており、仕切部材の上部が段部の上側の側壁部または補助側壁部に位置し、仕切部材の下部が段部の下側の側壁部または補助側壁部に位置していることが好ましい。
仕切部材は仕切り用区分け部の上部と下部が水平方向に位置ずれしているため、上部を段部の上側の側壁部または補助側壁部に位置させ、下部を段部の下側の側壁部または補助側壁部に位置させることで段部を有するシンクの主シンクと補助シンクの境界部に取り付けできて、使い勝手と見栄えが良い。
【発明の効果】
【００１１】
本発明に係る仕切部材及びシンクによれば、シンクに仕切部材を設置することで、シンクを複数の空間に分割して必要な用途に応じて使い分けできる。しかも、仕切った空間を洗浄用具や洗剤等の設置スペースとした場合、仕切用区分け部で遮蔽できて外観の見栄えが良くなる。また、仕切部材を取り除けばシンク全体を1つの広いスペースとして使用できる。
【図面の簡単な説明】
【００１２】
【図１】本発明の実施形態による仕切部材を含むキッチンシンクの要部斜視図である。
【図２】図１に示すキッチンシンクのシンク本体を示す平面図である。
【図３】図２に示すシンク本体のＡ−Ａ線断面図である。
【図４】図２に示すシンク本体のＢ−Ｂ線断面図である。
【図５】シンク本体の主シンクと補助シンクの境界に仕切部材を取り付けた要部斜視図である。
【図６】仕切部材を示すものであり、（ａ）は前面から見た図、（ｂ）は後面から見た図、（ｃ）は第一連結部側から見た側面図である。
【図７】シンク本体に仕切部材と第一水切り籠を設置した状態の要部平面図である。
【図８】シンク本体の補助シンクにワイヤーポケットを設置した状態の要部斜視図である。
【図９】図１に示すキッチンシンクのＣ−Ｃ線断面図である。
【図１０】仕切部材の変形例を示す図である。
【図１１】シンク本体の側壁部に設けた段部を示す変形例の要部説明図である。
【発明を実施するための形態】
【００１３】
以下、本発明の実施形態によるシンクとして流し台であるキッチンシンク１を添付図面によって説明する。図１は本発明の実施形態によるキッチンシンク１に各種のサポート部材Ｓを設置した使用状態の要部斜視図である。キッチンシンク１はカウンター２にシンク本体１Ａが嵌合されて上面が略面一に設置されている。シンク本体１Ａは、図２に示すように主シンク３と補助シンク４とで構成されている。シンク本体１Ａは例えばステンレス鋼板等の適宜の金属をプレス加工して形成される。
【００１４】
なお、本明細書において、正面側とは使用者がキッチンシンク１に立った際に向かい合う前方方向(水栓方向)をいい、これに対向する手前側方向（使用者側）を手前側と規定した。そのため、主シンク３の正面側の側壁部を正面側壁部３ｂとし、これに対向する手前側の側壁部を手前側壁部３ｃという。
図２において、主シンク３は例えば上部開口を有する略直方体箱状の内部空間を有しており、底部３ａと、正面方向に対向配置された正面側壁部３ｂ及び手前側壁部３ｃと、その左右に対向配置する横側壁部３ｄ、３ｅとで形成されている。これら正面側壁部３ｂ、手前側壁部３ｃ、左右の横側壁部３ｄ、３ｅで主シンク３の側壁部を構成する。
【００１５】
主シンク３の正面側壁部３ｂにはその中央部分が外側に拡張した略箱形の補助シンク４が形成されている。補助シンク４は補助底部４ａと補助側壁部を有し、補助側壁部は正面補助側壁部４ｂ、左右の横補助側壁部４ｃ、４ｄによって形成されている。主シンク３の底部３ａと補助シンク４の補助底部４ａの継目に排水口５が形成されている。補助シンク４の補助底部４ａは例えば主シンク３の底部３ａより低い位置に形成されていて排水口５に連通しているが、同一レベルに形成してもよい。
主シンク３の側壁部３ｂ〜３ｅと補助シンク４の補助側壁部４ｂ〜４ｄは角部が湾曲する曲面を描いて滑らかに接続されている。主シンク３と補助シンク４には後述するように複数種類のサポート部材Ｓが取り外し可能に設置される。
【００１６】
主シンク３は平面視で例えば略長方形状に形成され、補助シンク４は平面視で略台形状または略長方形状に形成されている。しかし、主シンク３や補助シンク４の平面視形状は略正方形状や略楕円形状等、適宜の形状を採用できる。そして、シンク本体１Ａの上面部７は外形の上部周縁部７ａが図２に示すように平面視略四角形状を有しており、その内部に主シンク３及び補助シンク４を形成している。上部周縁部７ａの外側にカウンター２の上面が設けられている。上部周縁部７ａは補助シンク４の周縁部にも形成されている。
上部周縁部７ａを含む上面部７はカウンター２の上面よりわずかに低い位置にあって、水がシンク本体１Ａ内に流れ込むようになっている。上面部７において、補助シンク４の両側に図示しない水栓を設置するための配管を通す配管用孔部８が例えば２つ設置され、この配管用孔部８のいずれか一方または両方に蛇口等の水栓を設置することができる。
【００１７】
図３及び図４に示すシンク本体１Ａの縦断面において、主シンク３の４面の側壁部３ｂ〜３ｅと補助シンク４の３面の補助側壁部４ｂ〜４ｄの高さ方向中間部分には段部１０が全周に亘って形成されている。段部１０は主シンク３及び補助シンク４において全周に亘って小幅の略水平面状であり、上面部７と略平行に形成されている。しかも、段部１０はその下側の側壁部よりも上側の側壁部が拡幅した階段状に形成されている。
主シンク３の段部１０において、補助シンク４の両側の正面側壁部３ｂに設けた段部１０を正面レール部１０ａといい、これに対向する手前側壁部３ｃに設けた段部１０を手前レール部１０ｂという。正面レール部１０ａ及び手前レール部１０ｂに略直交する横側壁部３ｄ、３ｅの対向する段部１０を横レール部１０ｃ、１０ｄという。更に、補助シンク４の正面補助側壁部４ｂに設けた段部１０を正面補助レール部１０ｅといい、対向する両側部の補助側壁部４ｃ、４ｄに設けた段部１０を横補助レール部１０ｆ、１０ｆという。
【００１８】
図３及び図４の断面視で、側壁部３ｂ〜３ｅは、段部１０を境にして底部３ａから段部１０までは略垂直またはわずかに外側に傾斜して形成され、段部１０から上部周縁部７ａまでも略垂直またはわずかに外側に傾斜して形成されている。同様に補助シンク４の補助側壁部４ｂ〜４ｄにおいても、段部１０を境にして補助底部４ａから段部１０までは略垂直またはわずかに外側に傾斜して形成され、段部１０から上部周縁部７ａまでも略垂直またはわずかに外側に傾斜して形成されている。
【００１９】
補助シンク４の正面補助側壁部４ｂにおいて、後述するサポート部材Ｓの例えばワイヤーポケット２０を位置決め支持するための位置決めピン１２が一対植設されている。補助シンク４の対向する両側の横補助側壁部４ｃ、４ｄには主シンク３の正面側壁部３ｂとの角部付近に後述する仕切部材１５を取り付けるための例えば一対の取り付けピン１３ａ、１３ｂが取付部に対向して植設されている。
上側の取り付けピン１３ａは上部周縁部７ａの下側近傍に固定され、下側の取り付けピン１３ｂは段部１０の下側近傍に固定されているため位置がずれている。また、取り付けピン１３ａ、１３ｂは主シンク３と補助シンク４の境界に設けられていれば、正面側壁部３ｂに固定されていてもよい。
【００２０】
上下の取り付けピン１３ａ、１３ｂに係合する仕切部材１５について図５及び図６により説明する。
図５に示すように、仕切部材１５は主シンク３と補助シンク４との境界において、両端部を取り付けピン１３ａ、１３ｂに係合させて取り付けられている。仕切部材１５は段部１０近傍と上部周縁部７ａとの間で主シンク３と補助シンク４を区画しており、段部１０近傍の仕切部材１５より下方は底部３ａ及び補助底部４ａとの間が開口している。
図６（ａ）〜（ｃ）において、仕切部材１５は互いに略平行で棒状の上部梁部材１６と下部梁部材１７とが上下方向に配設され、その両端部に略コの字形状の第一連結部１８及び第二連結部１９が連結固定されている。上部梁部材１６と下部梁部材１７は例えば亜鉛ダイカスト製等の金属部材からなる。第一連結部１８及び第二連結部１９は例えば合成樹脂部材からなることで着脱時の衝突音等を低減できて好ましい。
【００２１】
仕切部材１５の取り付け状態で第一連結部１８及び第二連結部１９は上部梁部材１６と下部梁部材１７に対して補助シンク４側に配設されている。図６において、第一連結部１８及び第二連結部１９は、上部梁部材１６の端部との連結部から後方（補助シンク４側）に延びた上アーム部１８ａ、１９ａと、下部梁部材１７の端部との連結部から後方（補助シンク４側）に延びた下アーム部１８ｂ、１９ｂと、上アーム部１８ａ，１９ａ及び下アーム部１８ｂ、１９ｂをそれぞれ連結する連結アーム１８ｃ、１９ｃとを備えている。
しかも、第一及び第二連結部１８，１９は上アーム部１８ａ，１９ａの上部梁部材１６に近接した部分と下アーム部１８ｂ、１９ｂの下部梁部材１７から離れた部分とに連結アーム１８ｃ、１９ｃが連結されている。これにより、図６（ｃ）の側面視で示すように、上部梁部材１６と下部梁部材１７は上下方向と水平方向に離間すると共に、上部梁部材１６に対して下部梁部材１７がより前方に突出した位置で第一連結部１８及び第二連結部１９に連結されて段部１０に対応している。
【００２２】
そして、上アーム部１８ａ，１９ａの端部には下方に向けて凹溝部１８ｄ、１９ｄが形成されている。同様に下アーム部１８ｂ，１９ｂの端部にも下方に向けて凹溝部１８ｅ、１９ｅが形成されている。主シンク３と補助シンク４の境界部において、両側の横補助側壁部４ｃ、４ｄに設けた上の取り付けピン１３ａ、１３ａに仕切部材１５の第一連結部１８及び第二連結部１９の凹溝部１８ｄ、１９ｄを嵌合させ、下の取り付けピン１３ｂ、１３ｂに第一連結部１８及び第二連結部１９の凹溝部１８ｅ、１９ｅを上から嵌合して固定する。これにより、仕切部材１５は主シンク３と補助シンク４との境界の角部に設置される。
なお、凹溝部１８ｄ、１９ｄ、１８ｅ、１９ｅは外側に開口が形成され、内側は閉鎖されたストッパー面とされている。そのため、仕切部材１５を取り付けピン１３ａ、１３ｂに装着した際、凹溝部１８ｄ、１９ｄ、１８ｅ、１９ｅを各取り付けピン１３ａ、１３ｂにそれぞれ嵌合させて正しく位置決めできる。また、凹溝部１８ｄ、１９ｄ、１８ｅ、１９ｅを貫通孔にしてもよい。
【００２３】
仕切部材１５を取り付けた状態で、下部梁部材１７の上面は平面状の下部梁レール部１７ａを構成する。下部梁部材１７の下部梁レール部１７ａはその両側に位置する正面側壁部３ｃの正面レール部１０ａとほぼ面一であって正面レール部１０ａの延長線上にある。また、仕切部材１５の上部梁部材１６の上面は平面状の上部梁レール部１６ａを構成し、上部周縁部７ａとほぼ同一レベルにあって上部梁レール部１６ａの延長線上に上部周縁部７ａが位置する。
本実施形態によるキッチンシンク１のシンク本体１Ａによれば、取り付けピン１３ａ、１３ｂに対して着脱可能な仕切部材１５を取り付けた状態で、主シンク３と補助シンク４を区画して個別の機能やスペースを持たせることができる。例えば主シンク３は洗い場等として用い、補助シンク４はワイヤーポケット２０等のサポート部材Ｓを設置してスポンジやたわしやブラシ等の洗浄用具や洗剤等の小物類の水切り兼用置場として使用できる。また、仕切部材１５を取り外した状態では、主シンク３と補助シンク４を一体にした洗い場等として利用できる。
【００２４】
本実施形態によるキッチンシンク１のシンク本体１Ａは上述した構成を備えており、次に、キッチンシンク１に着脱可能に装着する複数のサポート部材Ｓについて説明する。なお、下記に説明するサポート部材Ｓは一例にすぎず、他の適宜種類のサポート部材Ｓを設置できる。
図１、図８及び図９において、主シンク３との境界を仕切部材１５で仕切られた補助シンク４内には籠状のワイヤーポケット２０が設置されている。ワイヤーポケット２０はスポンジやたわしやブラシ等の洗浄道具、洗剤、その他の小物類等を載置して水切り可能に保管するものである。
【００２５】
図８に示すように、ワイヤーポケット２０はワイヤーを格子状に組み立てて略箱状に形成した収納籠であり、一方の側部に設けた略平行な２条のワイヤーからなる係止部２０ａを補助シンク４の正面補助側壁部４ｂに設けた位置決めピン１２に引掛けて位置決め支持させる。ワイヤーポケット２０の底部の長辺側部分を段部１０の正面補助レール部１０ｅに載置させることで安定して支持できる（図８、図９参照）。しかも、ワイヤーポケット２０は底部の短辺側部分を正面補助レール部１０ｅの両側の横補助レール部１０ｆに載置させることで一層安定して支持できる。
【００２６】
なお、ワイヤーポケット２０には、ワイヤー製でまな板を設置するための略Ｕ字状のまな板保持部２１が一体または着脱可能に取り付けられている。ワイヤーポケット２０内の底部にはダストボックス２２を収納している。ダストボックス２２は例えばステンレス製であり、その底部に設けた複数の水切り穴の一部を通してボルトとナットでワイヤーポケット２０に固定可能である（図９参照）。
ワイヤーポケット２０の側部にはワイヤーポケット２０を左右に仕切る仕切板２３を取り付けてもよい。仕切板２３は上部に設けた例えばフック部をワイヤーポケット２０の係止部２０ａのワイヤーに引掛けて、仕切板２３の下部を自重でワイヤーポケット２０の側部のワイヤー等に当接して保持できる。仕切板２３によってワイヤーポケット２０を左右に区画することで、スポンジやたわしやブラシ等を食器用の洗浄道具と排水口５やダストボックス２２等の洗浄道具とに区別して設置することができる。
【００２７】
図１及び図７において、主シンク３の一方の横側壁部３ｅ(図では右側)側に第一水切り籠２５が設置されている。この第一水切り籠２５は食器や食材、調理器具等の水切りを行うものであり、例えばワイヤーを組み込んでなる平面視略長方形板状の籠である。第一水切り籠２５は、その短辺からなる一端側の係止部２５ａが正面側壁部３ｂの段部１０の正面レール部１０ａと仕切部材１５の下部梁レール部１７ａ上に載置されている。また、対向する他端側の係止部２５ｂは手前側壁部３ｃの段部１０の手前レール部１０ｂに載置されていることで主シンク３上に設置されている。
この場合、仕切部材１５の下部梁部材１７は段部１０の下側に位置する取り付けピン１３ｂに係止されている。仕切部材１５を取り付けた状態で第一水切り籠２５の着脱作業を行える。
【００２８】
なお、第一水切り籠２５の一方の長辺からなる一側部２５ｃは横側壁部３ｅの段部１０の横レール部１０ｄに載置されていてもよく、この場合には第一水切り籠２５を段部１０により安定して支持できる。第一水切り籠２５は主シンク３における対向する正面レール部１０ａ、手前レール部１０ｂから主シンク３の左側にスライドさせて仕切部材１５の下部梁部材１７の下部梁レール部１７ａと手前レール部１０ｂ上を通って左側（横側壁部３ｄ側）の正面レール部１０ａ、手前レール部１０ｂ等にスライド移動可能である。
【００２９】
また、図１及び図９において、主シンク３の他方の横側壁部３ｄ側(図１では左側)に多数の穴を形成した第一水切りプレート２７が設置されている。第一水切りプレート２７は例えば平面視略長方形板状のプレートであり、食器や調理器具、食材等の水切り対象物を載置して水切りを行う。第一水切りプレート２７は一方の短辺をなす係止部２７ａが正面側壁部３ｂの正面レール部１０ａ及び仕切部材１５の下部梁レール部１７ａ上に載置され、他方の短辺をなす係止部２７ｂが手前側壁部３ｃの手前レール部１０ｂに載置されている。この第一水切りプレート２７においても、仕切部材１５を取り付けた状態で第一水切りプレート２７の着脱作業を行える。
また、第一水切りプレート２７は長片の側部が左側の横側壁部３ｄに設けた横レール部１０ｃに載置されていてもよく、この場合、一層安定して支持される。しかも、第一水切りプレート２７も手前側壁部３ｃの手前レール部１０ｂと下部梁レール部１７ａとの上をスライド移動可能である。
【００３０】
また、第一水切りプレート２７の上部には第二水切り籠２９が設置され、その一端の係止部２９ａがカウンター２の上面に載置され、他端の係止部２９ｂがキッチンシンク１の上面部７の上部周縁部７ａと仕切部材１５の上部梁レール部１６ａ上に載置されている。また、第二水切り籠２９内には第二水切りプレート３０が設置され、その一端の係止部３０ａはカウンター２の上面に載置され、他端の係止部３０ｂが上面部７の上部周縁部７ａと上部梁レール部１６ａ上に載置されている。
これら第二水切り籠２９や第二水切りプレート３０も食器や調理器具、食材等の水切り対象物の水切りを行うものである。第二水切り籠２９や第二水切りプレート３０も、カウンター２の上面と上面部７の上部周縁部７ａ及び上部梁レール部１６ａに沿ってスライド移動可能とされている。
【００３１】
第二水切り籠２９や第二水切りプレート３０を着脱する場合には、最初に第二水切り籠２９を取り付けて、その内側に第二水切りプレート３０を取り付けることができる。取り外す場合には、その逆の手順で行われる。そのため、図１及び図９に示すように、段部１０に設けた第一水切りプレート２７や第一水切り籠２５の上方における上面部７の上部周縁部７ａとカウンター２の上面とに第二水切り籠２９や第二水切りプレート３０等を設置できるため、キッチンシンク１を有効利用できる。
なお、第二水切り籠２９や第二水切りプレート３０に代えて、まな板をカウンター２の上面と上部周縁部７ａ及び上部梁レール部１６ａとの上に設置してもよい。
また、仕切部材１５はシンク本体１Ａにおける排水口５の上方に位置するため、排水口５やその周辺の底部３ａや補助底部４ａを視覚的に見えにくくして隠すことができる。
【００３２】
上述したように本実施形態によるキッチンシンク１によれば、シンク本体１Ａの主シンク３と補助シンク４の境界に仕切部材１５を着脱可能に取り付けたため、シンク本体１Ａを主シンク３と補助シンク４に分割して独立した空間として使用でき、主シンク３を洗い場とし、補助シンク４をスポンジやたわし等の洗浄用具や洗剤等の設置スペースとして使用できる。また、仕切部材１５を取り除くことで主シンク３と補助シンク４を全体に広い空間の洗い場等として使用できる。
しかも、仕切部材１５に上部梁部材１６と下部梁部材１７を設けたため、ワイヤーポケット２０等に収納した洗剤等の落下を防ぐと共に、上部梁部材１６と下部梁部材１７の間を目視できるため視覚的な狭さや閉塞感を感じさせない。更に仕切部材１５の上部梁レール部１６ａと下部梁レール部１７ａを段部１０と共に第一及び第二水切り籠２５，２９や第一及び第二水切りプレート２７、３０等を設置する支持部として利用できる。
また、下部梁部材１７の下部梁レール部１７ａは段部１０の正面側壁部１０ｂと略面一であるため、段部１０に設置した第一水切り籠２５や第一水切りプレート２７等を仕切部材１５と干渉することなく着脱操作することができる。ワイヤーポケット２０を補助シンク４に設置した状態で仕切部材１５を着脱することもできる。
【００３３】
また、仕切部材１５を設置した状態で、主シンク３内に第一及び第二水切り籠２５，２９や第一及び第二水切りプレート２７，３０を着脱できると共に、補助シンク４内にワイヤーポケット２０やダストボックス２２等を着脱できる。
しかも、主シンク３の例えば中央領域等で水栓から水を流して野菜等の食材や食器等の洗浄作業や水仕事に使用できる上に、その両側部には段部１０やカウンター２の上面や上部周縁部７ａや仕切部材１５に第一水切り籠２５、第二水切り籠２９や第一及び第二水切りプレート２７、３０等を設置できるため、キッチンシンク１のスペース全体を効率よく有効利用できる。
【００３４】
なお、本発明による仕切部材１５を備えたキッチンシンク１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３５】
上述した実施形態では、仕切部材１５として上部梁部材１６と下部梁部材１７を上下と前後に分離させて第一及び第二連結部１８，１９で連結した構成を示したが、本発明による仕切部材１５は上述した構成に限定されない。例えば、図１０に示す変形例による仕切部材１５では、上部梁部材１６と下部梁部材１７に代えて例えば板材からなる仕切遮蔽部３２を設け、この仕切遮蔽部３２の両端側背面に第一及び第二連結部１８，１９を設けて取り付けピン１３ａ、１３ｂにそれぞれ着脱可能に係合させた。
この場合には、仕切部材１５の前方に設置した補助シンク４のワイヤーポケット２０等に設けた洗浄用具や洗剤等を隠すことができるため、外観上の見栄えが良くなる。なお、実施形態における仕切部材１５の上部梁部材１６及び下部梁部材１７と変形例による仕切遮蔽部３２は仕切り用区分け部に含まれる。
【００３６】
また、主シンク３や補助シンク４の全周に設けた段部１０を介したその上下の側壁部で上方に向けて垂直または外側に傾斜する側壁部３ｂ〜３ｅ、補助側壁部４ｂ〜４ｄを形成して階段状に拡幅形成させた。しかし、本発明はこのような構成に限定されない。例えば、図１１に示すように、側壁部３ｂ〜３ｅ、補助側壁部４ｂ〜４ｄについて、底部３ａ、補助底部４ａから段部１０に向けて内側に傾斜させ、更に段部１０から上面部７の上部周縁部７ａに向けて内側に傾斜させてもよい。しかも段部１０と上部周縁部７ａが略垂直線上の位置にあってもよい。
この場合でも、補助シンク４内で段部１０上にワイヤーポケット２０等を載置できる。また、主シンク３内で、段部１０の正面レール部１０ａ及び下部梁レール部１７ａと手前レール部１０ｂの上に第一水切り籠２５や第一水切りプレート２７等を設置できる。同様に上面部７の上部周縁部７ａや上部梁レール部１６ａ上やカウンター２の上面にも第二水切り籠２９や第二水切りプレート３０等を設置できる。
【００３７】
なお、上述した実施形態や変形例において、ワイヤーポケット２０を補助シンク４の正面側の補助側壁部４ｂに設けた位置決め部材としての位置決めピン１２で位置決めして段部１０で支持するようにしたが、位置決めピン１２がなくても段部１０で支持することが可能である。その場合、補助シンク４の３面の補助側壁部４ｂ、４ｃ、４ｄの段部１０で支持することが好ましいが、少なくとも正面補助側壁部４ｂの段部１０があればよい。
また、仕切部材１５の取付部として上側の取り付けピン１３ａと下側の取り付けピン１３ｂを対向する位置に設けたが、少なくとも上側の取り付けピン１３ａが対向して設置されていればよい。下側の取り付けピン１３ｂは省略可能である。この場合、取り付けピン１３ａと凹溝部１８ｄ、１９ｄは断面多角形状等の回転を阻止するように形成することが好ましい。
【００３８】
なお、上述した実施形態に示すキッチンシンク１のシンク本体１Ａは主シンク３の正面側壁部３ｂの中央部を外側に膨出させて補助シンク４を一体形成したが、補助シンク４は正面側壁部３ｂの中央に限定されることなく、いずれかの端部に一体形成してもよい。
また、上述した実施形態や変形例では台所や洗い場等で使用するキッチンシンク１について説明したが、本発明はキッチンシンク１に限定されることなく、キッチン以外の各種の用途のシンク（流し台）に用いることができる。
【符号の説明】
【００３９】
１  キッチンシンク
１Ａ  シンク本体
３  主シンク
３ｂ、３ｃ、３ｄ、３ｅ  側壁部
４  補助シンク
４ｂ、４ｃ、４ｄ  補助側壁部
７ａ  上部周縁部
１０  段部
１０ａ  正面レール部
１０ｂ  手前レール部
１０ｃ、１０ｄ  横レール部
１０ｅ  正面補助レール部
１０ｆ  横補助レール部
１２  位置決めピン
１３ａ、１３ｂ  取り付けピン
１５  仕切部材
１６  上部梁部材
１７  下部梁部材
１８  第一連結部
１８ａ，１９ａ  上アーム部
１８ｂ、１９ｂ  下アーム部
１８ｄ、１９ｄ、１８ｅ，１９ｅ  凹溝部
１９  第二連結部
２０  ワイヤーポケット
２５  第一水切り籠
２７  第一水切りプレート
２９  第二水切り籠
３０  第二水切りプレート
３２  仕切遮蔽部
【図１】
2018096182.tif 000003
【図２】
2018096182.tif 000004
【図３】
2018096182.tif 000005
【図４】
2018096182.tif 000006
【図５】
2018096182.tif 000007
【図６】
2018096182.tif 000008
【図７】
2018096182.tif 000009
【図８】
2018096182.tif 000010
【図９】
2018096182.tif 000011
【図１０】
2018096182.tif 000012
【図１１】
2018096182.tif 000013